(57)【特許請求の範囲】
【請求項１】
防排煙装置を並列に接続した防排煙回線に接続され、手動でオン、オフすることによって、上記防排煙装置を制御できる制御スイッチと、上記防排煙回線の電圧レベルを監視する監視検出部と、該監視検出部のリレー接点を接続した監視中継器とを火災受信機の内部に組み込んで構成された防排煙回線の断線／短絡検出装置であって、
上記防排煙回線は、該防排煙回線に並列に接続された上記監視検出部を介して、上記制御スイッチに接続されるとともに、上記防排煙回線には抵抗器が直列に接続されており、
上記制御スイッチは、それがオンのときには、上記防排煙装置に対して順方向に電圧を出力する一方、それがオフのときには、上記抵抗器を介して防排煙装置に対して逆方向に電圧を出力する構成とされ、
上記制御スイッチがオフのときに、上記防排煙回線に断線あるいは短絡を生じたときには、上記監視検出部は上記防排煙回線の電圧が所定レベルに低下したことを判別して、上記リレー接点を作動して、上記監視中継器に異常信号を入力させて所定の警報を出力させる構成にしていることを特徴とする、防排煙連動システムにおける防排煙回線の断線／短絡検出装置。
【請求項２】
防排煙装置を並列に接続した防排煙回線に接続され、手動でオン、オフすることによって、上記防排煙装置を制御できる制御スイッチと、上記防排煙回線の電圧レベルを監視する監視検出部と、該監視検出部のリレー接点を接続した監視中継器とを火災受信機の内部に組み込んで構成された防排煙回線の断線／短絡検出装置であって、
上記防排煙回線は、上記制御スイッチに接続されるとともに、その防排煙回線の終端には、上記監視検出部が並列に接続されるようにして、該監視検出部と該監視検出部のリレー接点とで構成された断線／短絡検出ユニットを接続し、更にこの防排煙回線には抵抗器が接続されており、
上記制御スイッチは、それがオンのときには、上記防排煙装置に対して順方向に電圧を出力する一方、それがオフのときには、上記抵抗器を介して上記防排煙装置に対して逆方向に電圧を出力する構成とされ、
上記制御スイッチがオフのときに、上記防排煙回線に断線あるいは短絡を生じたときには、上記監視検出部は上記防排煙回線の電圧が所定レベルに低下したことを判別して、上記リレー接点を作動して、上記監視中継器に異常信号を入力して所定の警報を出力させる構成にしていることを特徴とする、防排煙連動システムにおける防排煙回線の断線／短絡検出装置。
【請求項３】
防排煙装置を並列に接続した防排煙回線に接続され、手動でオン、オフすることによって、上記防排煙装置を制御できる制御スイッチと、上記防排煙回線の電圧レベルを監視する第１、第２の監視検出部と、この第１、第２の監視検出部のそれぞれの第１、第２のリレー接点を接続した監視中継器とを火災受信機の内部に組み込んで構成された防排煙回線の断線／短絡検出装置であって、
上記防排煙回線は、該防排煙回線に並列に接続された上記第１の監視検出部を介して、上記制御スイッチに接続されるとともに、上記防排煙回線には抵抗器を直列に、かつ上記第２の監視検出部を並列に接続しており、
上記制御スイッチは、それがオンのときには、上記防排煙装置に対して順方向に電圧を出力する一方、それがオフのときには、上記抵抗器を介して、上記防排煙装置に対して逆方向に電圧を出力する構成とされ、
上記制御スイッチがオフのときに、上記防排煙回線に断線を生じると、上記第１の監視検出部が上記第１のリレー接点を閉じ、かつ上記第２の監視検出部が上記第２のリレー接点を開放する一方、上記防排煙回線に短絡を生じると、上記第１、第２の監視検出部が、上記第１、第２のリレー接点を閉じることで、上記監視中継器で防排煙回線の断線、短絡を判別できる構成にしていることを特徴とする、防排煙連動システムにおける防排煙回線の断線／短絡検出装置。
【請求項４】
防排煙装置を並列に接続した防排煙回線に接続され、手動でオン、オフすることによって、上記防排煙装置を制御できる制御スイッチと、上記防排煙回線の電圧レベルを監視する第１、第２の監視検出部と、この第１の監視検出部と、該第１の監視中継器の第１のリレー接点とから成る断線／短絡検出ユニットと、上記第２の監視検出部の第２のリレー接点を接続した第２の監視中継器とを火災受信機の内部に組み込んで構成された防排煙回線の断線／短絡検出装置であって、
上記防排煙回線は、該防排煙回線に並列に接続された上記第２の監視検出部を介して上記制御スイッチに接続されるとともに、その終端には、上記第１の監視中継器が並列に接続されるようにして、上記断線／短絡検出ユニットを接続し、更に上記防排煙回線には、抵抗器を直列に接続しており、
上記制御スイッチは、それがオンのときには、上記防排煙装置に対して順方向に電圧を出力する一方、それがオフのときには、上記抵抗器を介して、上記防排煙装置に対して逆方向に電圧を出力する構成とされ、
上記制御スイッチがオフのときに、上記防排煙回線に断線を生じると、上記第１の監視検出部が上記第１のリレー接点を閉じ、かつ上記第２の監視検出部が上記第２のリレー接点を開く一方、上記防排煙回線に短絡を生じると、上記第１、第２の監視検出部が、上記第１、第２のリレー接点を閉じることで、上記第１、第２の監視中継器で防排煙回線の断線、短絡を判別できる構成にしていることを特徴とする、防排煙連動システムにおける防排煙回線の断線／短絡検出装置。
【発明の詳細な説明】
【０００１】
【発明の属する技術分野】
本発明は、火災受信機に、防排煙回線を介して防排煙装置を接続し、火災受信機は、手動でオン、オフすることによって、防排煙装置を制御できる制御スイッチを備えた防排煙連動システムにおける防排煙回線の断線／短絡検出装置に関する。
【０００２】
【従来の技術】
近時、マンションなどの大規模な建物においては、防排煙連動システムが導入されており、防災上大きな役割を果たしている。
【０００３】
このものでは、建物内の適所に配置された火災感知器が火災を感知して発報すると、火災受信機がこれを受けて、所定の火災警報を出力するとともに、火災受信機より導出した防排煙回線を介して駆動信号を出力することによって、対応する防排煙装置を動作させ、延焼や煙の回り込みなどを防いでいる。
【０００４】
また、火災受信機は、手動でオン、オフすることによって、防排煙装置を制御できる制御スイッチを備えており、火災受信機がダウンしたときに対して備えている。これにより、火災受信機が防排煙装置を自動的に動作させないような状態となっても、手動により防排煙装置を動作させることができる。
【０００５】
【発明が解決しようとする課題】
ところで、火災受信機は、防排煙回線の断線／短絡を検出する機能はなく、また、防排煙回線が短絡した場合には、保護回路のヒューズを切ることによって、火災受信機や防排煙装置のショートを防いでいた。
【０００６】
本発明は、上記事情を考慮してなされたものであり、防排煙連動システムにおいて、火災受信機の保護回路のヒューズを切ることなく、防排煙回線の断線／短絡を検出する装置を提供することを目的としている。
【０００７】
【課題を解決するための手段】
上記目的を達成するために、本発明の請求項１に記載の防排煙回線の断線／短絡検出装置では、防排煙装置を並列に接続した防排煙回線に接続され、手動でオン、オフすることによって、防排煙装置を制御できる制御スイッチと、防排煙回線の電圧レベルを監視する監視検出部と、該監視検出部のリレー接点を接続した監視中継器とを火災受信機の内部に組み込んで構成された防排煙回線の断線／短絡検出装置であって、防排煙回線は、該防排煙回線に並列に接続された監視検出部を介して、制御スイッチに接続されるとともに、防排煙回線には抵抗器が直列に接続されており、制御スイッチは、それがオンのときには、防排煙装置に対して順方向に電圧を出力する一方、それがオフのときには、抵抗器を介して防排煙装置に対して逆方向に電圧を出力する構成とされ、制御スイッチがオフのときに、防排煙回線に断線あるいは短絡を生じたときには、監視検出部は防排煙回線の電圧が所定レベルに低下したことを判別して、リレー接点を作動して、監視中継器に異常信号を入力させて所定の警報を出力させる構成にしていることを特徴とする。
【０００８】
請求項２に記載の防排煙回線の断線／短絡検出装置では、防排煙装置を並列に接続した防排煙回線に接続され、手動でオン、オフすることによって、防排煙装置を制御できる制御スイッチと、防排煙回線の電圧レベルを監視する監視検出部と、該監視検出部のリレー接点を接続した監視中継器とを火災受信機の内部に組み込んで構成された防排煙回線の断線／短絡検出装置であって、防排煙回線は、制御スイッチに接続されるとともに、その防排煙回線の終端には、監視検出部が並列に接続されるようにして、該監視検出部と該監視検出部のリレー接点とで構成された断線／短絡検出ユニットを接続し、更にこの防排煙回線には抵抗器が接続されており、制御スイッチは、それがオンのときには、防排煙装置に対して順方向に電圧を出力する一方、それがオフのときには、抵抗器を介して防排煙装置に対して逆方向に電圧を出力する構成とされ、制御スイッチがオフのときに、防排煙回線に断線あるいは短絡を生じたときには、監視検出部は上記防排煙回線の電圧が所定レベルに低下したことを判別して、リレー接点を作動して、監視中継器に異常信号を入力して所定の警報を出力させる構成にしていることを特徴とする。
【０００９】
請求項３に記載の防排煙回線の断線／短絡検出装置では、防排煙装置を並列に接続した防排煙回線に接続され、手動でオン、オフすることによって、防排煙装置を制御できる制御スイッチと、防排煙回線の電圧レベルを監視する第１、第２の監視検出部と、この第１、第２の監視検出部のそれぞれの第１、第２のリレー接点を接続した監視中継器とを火災受信機の内部に組み込んで構成された防排煙回線の断線／短絡検出装置であって、防排煙回線は、該防排煙回線に並列に接続された第１の監視検出部を介して、制御スイッチに接続されるとともに、防排煙回線には抵抗器を直列に、かつ第２の監視検出部を並列に接続しており、制御スイッチは、それがオンのときには、防排煙装置に対して順方向に電圧を出力する一方、それがオフのときには、抵抗器を介して、防排煙装置に対して逆方向に電圧を出力する構成とされ、制御スイッチがオフのときに、防排煙回線に断線を生じると、第１の監視検出部が第１のリレー接点を閉じ、かつ第２の監視検出部が第２のリレー接点を開放する一方、防排煙回線に短絡を生じると、第１、第２の監視検出部が、第１、第２のリレー接点を閉じることで、監視中継器で防排煙回線の断線、短絡を判別できる構成にしていることを特徴とする。
【００１０】
請求項４に記載の防排煙回線の断線／短絡検出装置では、防排煙装置を並列に接続した防排煙回線に接続され、手動でオン、オフすることによって、防排煙装置を制御できる制御スイッチと、防排煙回線の電圧レベルを監視する第１、第２の監視検出部と、この第１の監視検出部と、該第１の監視中継器の第１のリレー接点とから成る断線／短絡検出ユニットと、第２の監視検出部の第２のリレー接点を接続した第２の監視中継器とを火災受信機の内部に組み込んで構成された防排煙回線の断線／短絡検出装置であって、防排煙回線は、該防排煙回線に並列に接続された第２の監視検出部を介して制御スイッチに接続されるとともに、その終端には、第１の監視中継器が並列に接続されるようにして、断線／短絡検出ユニットを接続し、更に防排煙回線には、抵抗器を直列に接続しており、制御スイッチは、それがオンのときには、防排煙装置に対して順方向に電圧を出力する一方、それがオフのときには、抵抗器を介して、防排煙装置に対して逆方向に電圧を出力する構成とされ、制御スイッチがオフのときに、防排煙回線に断線を生じると、第１の監視検出部が第１のリレー接点を閉じ、かつ第２の監視検出部が第２のリレー接点を開く一方、防排煙回線に短絡を生じると、第１、第２の監視検出部が、第１、第２のリレー接点を閉じることで、第１、第２の監視中継器で防排煙回線の断線、短絡を判別できる構成にしていることを特徴とする。
【００１１】
【発明の実施の形態】
以下に、本発明の実施の形態について、図面とともに説明する。図１は、本発明装置の第１実施例について説明するための図である。
【００１２】
火災受信機１には、防排煙回線Ｌを介して、複数の防排煙装置ＥＲが並列に接続されており、所定の火災警報を出力したときには、防排煙回線Ｌに対して順方向（矢印Ａ方向）に電圧を出力することによって駆動信号を送出して、防排煙装置ＥＲを動作させるようにしている。防排煙装置ＥＲの動作状況は、動作確認中継器３で監視しており、その中継器３と通信をすることによって、火災受信機１が防排煙装置ＥＲの動作状況を確認できるようになっている。
【００１３】
また、火災受信機１には、手動でオンまたはオフとすることによって、防排煙装置ＥＲを制御できるようにもなっており、火災受信機１がダウンしたときに対して備えている。これにより、火災受信機１が防排煙装置ＥＲを自動的に動作させないような状態となっても、手動により防排煙装置ＥＲを動作させることができる。
【００１４】
火災受信機１は、以下の各部を制御する情報処理回路部１０と、液晶画面や各種ランプなどで構成される表示部１１と、動作確認中継器３との通信などをする信号入力回路部１２と、手動でオンまたはオフとすることによって、防排煙装置ＥＲを制御する制御スイッチ１３と、ヒューズなどで構成される保護回路１４と、防排煙装置ＥＲに電圧を出力するための２４Ｖ電源１５とを備える。
【００１５】
また、火災受信機１は、制御スイッチ１３がオンのときには、防排煙装置ＥＲに対して順方向（矢印Ａ方向）に電圧を出力する一方、制御スイッチ１３がオフのときには、抵抗Ｒ１を介して防排煙装置ＥＲに対して逆方向（矢印Ｂ方向）に電圧を出力する構成としており、制御スイッチ１３の順方向電圧出力側１３Ａと逆方向電圧出力側の１３Ｂのそれぞれには、防排煙回線Ｌの断線／短絡を検出する監視検出部１６（リレーやフォトカプラなどで構成される）と、抵抗器Ｒ１とを図示のように接続し、更に、監視検出器１６のリレー接点ｒｙを接続した監視中継器２を内蔵している。
【００１６】
なお、監視検出部１６を構成するリレーは無極性リレーを用いており、監視検出部１６に、２４Ｖ電源の１０％（２．４Ｖ）を超える動作電圧が印加されたときには、監視検出部１６が、監視中継器２のリレーｒｙを開放する（接点をａ側にする）動作を行う。また、抵抗器Ｒ１の抵抗値は、監視検出部１６のリレーのコイル抵抗値の１０％以下としており、ここでは３００Ωとしている。
【００１７】
リレー接点ｒｙは、監視検出部１６によって制御されるようになっており、防排煙回線Ｌが正常なときには、制御スイッチ１３のオン、オフにかかわらず、監視検出部１６には、ここでは２．４Ｖを超える動作電圧が印加されるので、監視検出部１６はリレー接点ｒｙを開放する（ａ側の状態にする）。
【００１８】
一方、制御スイッチ１３がオンのときに防排煙回線Ｌが断線あるいは短絡したときには、監視検出部１６は、そのリレー接点ｒｙを開放する（ａ側とする）が、制御スイッチ１３がオフのときに、防排煙回線Ｌが断線あるいは短絡し、その結果として、防排煙回線Ｌの断線抵抗値が、先述したコイル抵抗値の約１０倍（断線時）になったり、防排煙回線Ｌの短絡抵抗値が、先述した抵抗器Ｒ１の抵抗値の１／１０（短絡時）となったときには、監視検出部１６に印加される電圧値は２．４Ｖ以下となるので、監視検出部１６は、そのリレー接点ｒｙを閉じ（接点ｂ側の状態にする）、監視中継器２に異常信号を入力するので、これを受けた監視中継器２が所定の警報動作をする。
【００１９】
そして、この状態で制御スイッチ１３がオンとなれば、監視検出部１６には、２．４Ｖを超える動作電圧が印加されるので、監視検出部１６は、そのリレー接点ｒｙを開放し、これを受けた監視中継器２は、警報動作の出力を中止する。
【００２０】
次に、本発明装置の第２実施例について、図２とともに説明する。ここでは、防排煙回線Ｌの終端に、先述した監視検出部１６と、そのリレー接点ｒｙとで構成される断線／短絡検出ユニットＵを接続し、更にこのユニットＵに、上記した監視中継器２を接続している。なお、図示した各構成要素の動作については、先述した第１実施例と同様であるので説明を省略する。
【００２１】
次に、本発明装置の第３実施例について、図３とともに説明する。ここでは、図１に示す火災受信機１内に設けた制御スイッチ１３の逆方向電圧出力側１３Ｂには、抵抗Ｒ１を直列に接続し、かつ第２の監視検出部１６Ａを並列に接続するとともに、監視中継器２には、第１の監視検出部１６の第１のリレー接点ｒｙに加えて、第２の監視検出部１６Ａの第２のリレー接点ｒｙ２を設けている。なお、抵抗器Ｒ１の抵抗値は、第１、第２の監視検出部１６，１６Ａのリレーを並列接続したときのコイル抵抗値の１０％以下としており、ここでは１５０Ωとしている。
【００２２】
第１、第２のリレー接点ｒｙ，ｒｙ２は、第１、第２の監視検出部１６，１６Ａによって制御されるようになっており、防排煙回線Ｌが正常なときには、制御スイッチ１３のオンまたはオフにかかわらず、第１、第２の監視検出部１６，１６Ａには、２．４Ｖを超える動作電圧が印加されるので、それらの第１、第２のリレー接点ｒｙ，ｒｙ２を開放している（ａ側の状態としている）。
【００２３】
一方、制御スイッチ１３がオンのときに、防排煙回線Ｌが断線し、その結果として、防排煙回線Ｌの断線抵抗値が、先述したコイル抵抗値の約１０倍となったときには、第２の監視検出部１６Ａに印加される電圧値は２．４Ｖ以下となり、第２の監視検出部１６Ａは、第２のリレー接点ｒｙ２を閉じ（接点ｂ側の状態）、これを受けた監視中継器２が所定の警報をする。また、制御スイッチ１３がオンのときに、防排煙回線Ｌが短絡したときには、第１、第２の監視検出部１６，１６Ａは、それらの第１、第２のリレー接点ｒｙ，ｒｙ２を開放する（ａ側とする）。
【００２４】
しかし、制御スイッチ１３がオフのときに、防排煙回線Ｌが断線し、その結果として、防排煙回線Ｌの断線抵抗値が、先述したコイル抵抗値の約１０倍となったときには、第１の監視検出部１６に印加される電圧値は２．４Ｖ以下となり、第１のリレー接点ｒｙを閉じ（接点ｂ側の状態）、これを受けた監視中継器２が所定の警報をする。
このとき、第２の監視検出部１６Ａは、印加される電圧が変動しないので、第２のリレー接点ｒｙ２を開放する。
【００２５】
また、同じ制御スイッチ１３がオフのときに、防排煙回線Ｌが短絡し、その結果として、防排煙回線Ｌの断線抵抗値が、先述した抵抗器Ｒ１の抵抗値の約１／１０となったときには、第１、第２の監視検出部１６，１６Ａに印加される電圧値は２．４Ｖ以下となるので、それらの第１、第２のリレー接点ｒｙ，ｒｙ２を閉じると、これを受けた監視中継器２が所定の警報動作をする。
【００２６】
そして、監視中継器２が所定の警報動作をしているときに、制御スイッチ１３がオンとなれば、第１、第２の監視検出部１６，１６Ａには、２４Ｖの動作電圧が印加されるので、監視中継器２の第１、第２のリレーｒｙ，ｒｙ２の接点を開放し、これを受けた監視中継器２は、警報動作の出力を中止する。
【００２７】
このように、第３実施例の本装置によれば、監視中継器２では、第１、第２のリレー接点ｒｙ，ｒｙ２の制御状況、すなわち、リレー接点の１つが閉じたか、リレー接点の２つが閉じたかに応じて、防排煙回線Ｌが断線しているか短絡しているかを検出することができ、防排煙回線Ｌの断線／短絡状況を区別して検出することができる。
【００２８】
次に、本発明装置の第４実施例について、図４とともに説明する。ここでは、図２に示す火災受信機１内に設けた制御スイッチ１３の順方向電圧出力側１３Ａに、第２の監視検出部１６Ａを接続し、その第２のリレー接点ｒｙ２を接続した第２の監視中継器２Ａを内蔵させている。なお、抵抗器Ｒ１の抵抗値は、先述した第３実施例と同様に、第１、第２の監視検出部１６，１６Ａのリレーを並列接続したときのコイル抵抗値の１０％以下としており、ここでは１５０Ωとしている。
【００２９】
一方、制御スイッチ１３がオンのときに、防排煙回線Ｌが断線し、その結果として、防排煙回線Ｌの断線抵抗値が、先述したコイル抵抗値の約１０倍となったときには、第１の監視検出部１６に印加される電圧値は２．４Ｖ以下となり、監視中継器２の第１のリレー接点ｒｙを閉じ（開放せずに接点ｂ側の状態）、これを受けた監視中継器２が所定の警報動作をする。また、制御スイッチ１３がオンのときに、防排煙回線Ｌが短絡したときには、第１、第２の監視検出部１６，１６Ａは、それぞれの第１、第２のリレー接点ｒｙ，ｒｙ２を開放する（ａ側とする）。
【００３０】
制御スイッチ１３がオフのときに、防排煙回線Ｌが断線し、その結果として、防排煙回線Ｌの断線抵抗値が、先述したコイル抵抗値の約１０倍となったときには、第１の監視検出部１６に印加される電圧値は２．４Ｖ以下となり、第１のリレー接点ｒｙを閉じ（開放せずに接点ｂ側の状態）、さらにこのとき、第２の監視検出部１６Ａは、印加される電圧が低下しないので、第２のリレー接点ｒｙ２は開放され、所定の警報がなされる。
【００３１】
また、同じ制御スイッチ１３がオフのときに、防排煙回線Ｌが短絡し、その結果として、防排煙回線Ｌの断線抵抗値が、先述した抵抗器Ｒ１の抵抗値の約１／１０となったときには、第１、第２の監視検出部１６，１６Ａに印加される電圧値は２．４Ｖ以下となるので、第１、第２のリレー接点ｒｙ，ｒｙ２を閉じ（開放せずに接点ｂ側の状態）る。
この結果、所定の警報がなされる。
【００３２】
そして、第１、第２の監視中継器２，２Ａが所定の警報動作をしているときに、制御スイッチ１３がオンとなれば、第１、第２の監視検出部１６，１６Ａには、２４Ｖの動作電圧が印加されるので、第１、第２のリレー接点ｒｙ，ｒｙ２を開放し（接点をａ側）、監視中継器２，２Ａは、これを受けると警報の出力を中止する。
【００３３】
このように、第４実施例の本装置によれば、第３実施例の本装置と同様に、第１、第２の監視検出部１６、１６Ａの第１、第２のリレー接点ｒｙ，ｒｙ２の制御状況、すなわち、リレー接点１つが閉じたか、リレー接点２つが閉じたかに応じて、防排煙回線Ｌが断線しているか短絡しているかを検出することができ、防排煙回線Ｌの断線／短絡状況を区別して検出することができる。
【００３４】
【発明の効果】
以上の説明からも理解できるように、本発明の請求項１または請求項２に記載の防排煙連動システムにおける防排煙回線の断線／短絡検出装置では、制御スイッチがオフのときに、防排煙回線に断線あるいは短絡を生じたときにも所定の警報動作をするので、防排煙連動システムにおいて、火災受信機の保護回路のヒューズを切ることなく、防排煙回線の断線あるいは短絡を検出することができる。
【００３５】
請求項３または請求項４に記載の防排煙連動システムにおける防排煙回線の断線／短絡検出装置では、制御スイッチがオフのときに、断線、短絡を区別して検出することができ、防排煙回線の不良原因が明確になり、効率的に対処することができる。
【図面の簡単な説明】
【図１】  本発明装置の第１実施例について説明するための図である。
【図２】  本発明装置の第２実施例について説明するための図である。
【図３】  本発明装置の第３実施例について説明するための図である。
【図４】  本発明装置の第４実施例について説明するための図である。
【符号の説明】
１・・・火災受信機
２，２Ａ・・・監視中継器、第１、第２の監視中継器
１３・・・制御スイッチ
１３Ａ・・・順方向電圧出力側
１３Ｂ・・・逆方向電圧出力側
１６，１６Ａ・・・監視検出部、第１、第２の監視検出部
Ｕ・・・断線／短絡検出ユニット
ｒｙ，ｒｙ２・・・リレーの接点、第１、第２のリレー接点
Ｒ１・・・抵抗器
Ｌ・・・防排煙回線
ＥＲ・・・防排煙装置
Ａ・・・電圧順方向
Ｂ・・・電圧逆方向
【図１】
0003799966.tif 000002
【図２】
0003799966.tif 000003
【図３】
0003799966.tif 000004
【図４】
0003799966.tif 000005